(57)【特許請求の範囲】
【請求項１】
塵埃を含んだ空気が水平方向に上流側から下流側に向けて通過される水噴霧室と、
この水噴霧室内に配置され前記塵埃を含んだ空気の流れの側方から水を噴霧するための複数のノズルを有する水噴霧装置と、
前記水噴霧室の下流側に配置され前記水噴霧室内を通過した空気に含まれる水分を除去する水分離器と、
前記水噴霧室の下方に配置される貯水槽と、
前記貯水槽内の水を前記水噴霧装置に循環する循環管路と、
を備えた水噴霧式空気浄化装置において、
前記ノズルからの水噴出方向に、前記ノズルから噴出された粒状の噴出水を細分化する網部材を配置してなることを特徴とする水噴霧式空気浄化装置。
【発明の詳細な説明】
【０００１】
【産業上の利用分野】
本発明は、塵埃を含んだ空気に水を噴霧することにより空気から塵埃を除去する水噴霧式空気浄化装置に関する。
【０００２】
【従来の技術】
従来、空気中に含まれる塵埃を除去する空気浄化装置として、塵埃を含んだ空気に水を噴霧することにより空気から塵埃を除去する形式の水噴霧式空気浄化装置が知られている。
【０００３】
図５および図６は、この種の水噴霧式空気浄化装置を示しており、図において符号１１は、ダクト１３から供給される、例えば二酸化硫黄等の有害ガスや塵埃を含んだ空気が上流側から下流側に向けて通過される水噴霧室を示している。
【０００４】
この水噴霧室１１内には、水噴霧装置１５が配置されている。
水噴霧装置１５は、水平に配置される主配管１７を有しており、主配管１７には、所定間隔を置いて分岐管１９が垂直方向に分岐されている。
【０００５】
分岐管１９の下端は閉塞されており、分岐管１９には、上下方向に所定間隔を置いて、塵埃を含んだ空気に水を噴霧するための複数のノズル２１が配置されている。
【０００６】
水噴霧室１１の下流側には、水噴霧室１１内を通過した空気に含まれる水分を除去する、例えば、エリミネータからなる水分離器２３が配置されている。
そして、水噴霧室１１の下方には、貯水槽２５が配置されている。
【０００７】
この貯水槽２５には、循環配管２７の一端が開口されており、循環配管２７の他端は、主配管１７に接続されている。
循環配管２７には、貯水槽２５内の水を循環するためのポンプ２９、および循環水から比較的大きい塵埃を除去するためのフィルタ３１が配置されている。
【０００８】
上述した水噴霧式空気浄化装置では、ダクト１３から水噴霧室１１内に流入した塵埃を含んだ空気は、水噴霧室１１の上流側から下流側に向けて通過し、この間にノズル２１から噴霧される噴霧水により塵埃に水が付着し、これにより塵埃が下方に向けて自然落下し、空気中から塵埃が除去され、塵埃を除去された空気は、水分離器２３に流入し、空気中の水分が除去される。
【０００９】
一方、貯水槽２５内の水は、循環配管２７を通り、フィルタ３１により比較的大きな塵埃を除去された後、主配管１７から分岐管１９に導かれ、分岐管１９のノズル２１から水噴霧室１１内に噴霧され、貯水槽２５に循環される。
【００１０】
【発明が解決しようとする課題】
しかしながら、このような従来の水噴霧式空気浄化装置では、ノズル２１から充分に微細な噴霧水を噴霧することが困難であり、塵埃に対する充分な除去効率を得ることができないという問題があった。
【００１１】
すなわち、上述した水噴霧式空気浄化装置では、貯水槽２５内の水を循環してノズル２１から噴霧しているため、循環水には、フィルタ３１で除去されなかった塵埃が含まれており、ノズル２１のノズル穴の径を小さくして噴霧水を微細なものにしようとすると、ノズル穴が詰まってしまうため、小径のノズル穴を有するノズルを使用することができず、ノズル２１から充分に微細な噴霧水を噴霧することが困難であるという問題があった。
【００１２】
また、微細な噴霧水を噴霧するためには、大きな圧力と数多くのノズルが必要であり多くの動力を要する。
本発明は、上記のような問題を解決したもので、ノズルのノズル穴を小径にすることなく噴霧水を微細にすることができる水噴霧式空気浄化装置を提供することを目的とする。
【００１３】
【課題を解決するための手段】
本発明の水噴霧式空気浄化装置は、塵埃を含んだ空気が水平方向に上流側から下流側に向けて通過される水噴霧室と、この水噴霧室内に配置され前記塵埃を含んだ空気の流れの側方から水を噴霧するための複数のノズルを有する水噴霧装置と、前記水噴霧室の下流側に配置され前記水噴霧室内を通過した空気に含まれる水分を除去する水分離器と、前記水噴霧室の下方に配置される貯水槽と、前記貯水槽内の水を前記水噴霧装置に循環する循環管路と備えた水噴霧式空気浄化装置において、前記ノズルからの水噴出方向に、前記ノズルから噴出された粒状の噴出水を細分化する網部材を配置してなるものである。
【００１４】
【作用】
本発明の水噴霧式空気浄化装置では、水噴霧室内において、ノズルから噴出された噴出水が、網部材に衝突し、細分化され微細な噴霧水になる。
【００１５】
【実施例】
以下、本発明の詳細を図面に示す実施例について説明する。
図１および図２は、本発明の関連技術である水噴霧装置の一例を示すもので、これ等の図において、符号３３は、水が所定の圧力で供給される配管を示している。
【００１６】
この配管３３には、ノズル３５が配置され、ノズル３５には、水を噴出する多数のノズル穴３７が形成されている。
ノズル穴３７の前方には、ノズル３５から所定間隔を置いて、金網，樹脂網等からなる網部材３９が配置されている。
【００１７】
なお、この例では、ノズル穴３７から噴出された噴出水Ｗ1 が網部材３９に達する時の噴出水Ｗ1 の外径寸法は１mm前後とされ、一方、網部材３９の網の線径は、０．５〜１mmとされ、さらに、網目は、８〜５メッシュの正方形とされている。
【００１８】
上述した水噴霧装置では、ノズル３５から噴出された噴出水Ｗ1 が、網部材３９に衝突すると、噴出水Ｗ1 の速度エネルギーにより噴出水Ｗ1 が細分化され微細な噴霧水Ｗ2 になるため、ノズル３７のノズル穴３７を小径にすることなく噴霧水Ｗ2 を微細にすることが容易に可能になる。
【００１９】
図３および図４は、本発明の水噴霧式空気浄化装置の一実施例を示すもので、これ等の図において、符号４１は、ダクト４３から供給される、例えば、二酸化硫黄等の有害ガスや塵埃を含んだ空気Ａが上流側から下流側に向けて通過される水噴霧室を示している。
【００２０】
この水噴霧室４１内には、水噴霧装置４５が配置されている。
水噴霧装置４５は、水平に配置される主配管４７ａ，４７ｂを有しており、主配管４７ａ，４７ｂには、所定間隔を置いて分岐管４９が垂直方向に分岐されている。
【００２１】
分岐管４９の下端は閉塞されており、分岐管４９には、上下方向に所定間隔を置いて、塵埃を含んだ空気に水を噴霧するための複数のノズル５１が配置されている。
【００２２】
水噴霧室４１の下流側には、水噴霧室４１内を通過した空気に含まれる水分を除去する、例えば、エリミネータからなる水分離器５３が配置されている。
そして、水噴霧室４１の下方には、貯水槽５５が配置されている。
【００２３】
この貯水槽５５には、循環配管５７の一端が開口されており、循環配管５７の他端は、主配管４７ａ，４７ｂに接続されている。
循環配管５７には、貯水槽５５内の水を循環するためのポンプ５９、および循環水から比較的大きい塵埃を除去するためのフィルタ６１が配置されている。
【００２４】
しかして、この実施例では、水噴霧室４１内の中央には、塵埃を含んだ空気の流れ方向に沿って、かつ、ほぼ垂直に仕切板６３が配置されている。
また、仕切板６３の両側および水噴霧室４１の壁面４１ａの内側には、主配管４７ｂ，４７ａが配置され、それぞれの主配管４７ａ，４７ｂには、分岐管４９が分岐されている。
【００２５】
さらに、水噴霧室４１における仕切板６３と壁面４１ａとの間には、金網，樹脂網等からなる網部材６５が配置されている。
なお、この実施例では、ノズル５１から噴出された噴出水Ｗ1 が網部材６５に達する時の噴出水Ｗ1 の平均外径寸法は１mm前後とされ、一方、網部材６５の網の線径は、０．６〜０．９mmとされ、さらに、網目規格は、７〜５メッシュとされている。
【００２６】
そして、壁面４１ａ側に配置される分岐管４９のノズル５１からの水噴霧方向が、噴出水Ｗ1 が仕切板６３に向かう方向にされ、さらに、ノズル５１からの水噴出圧力が、噴出水Ｗ1 が網部材６５を通過した後、仕切板６３に確実に衝突する圧力にされている。
【００２７】
すなわち、網部材６５に衝突して発生した微細な噴霧水が、網部材６５に衝突することなく網目を通過した、数多くの高速の水滴に引かれて噴出方向に進み、仕切板６３に確実に衝突する圧力にされている。
【００２８】
一方、仕切板６３側に配置される分岐管４７ｂのノズル５１からの水噴霧方向が、噴出水Ｗ1 が壁面４１ａに向かう方向にされ、さらに、ノズル５１からの水噴出圧力が、噴出水Ｗ1 が網部材６５を通過した後、壁面４１ａに確実に衝突する圧力にされている。
【００２９】
上述した水噴霧式空気浄化装置では、ダクト４３から水噴霧室４１内に流入した塵埃を含んだ空気Ａは、水噴霧室４１の上流側から下流側に向けて通過し、この間に、ノズル５１から噴霧される噴出水Ｗ1 および網部材６５により細分化された噴霧水Ｗ2 に衝突した空気中の塵埃が、噴霧水Ｗ2 とともに仕切板６３または壁面４１ａに衝突し、噴霧水Ｗ2 により仕切板６３または壁面４１ａの表面に形成される水膜に捕捉され、水膜の落下とともに仕切板６３または壁面４１ａに沿って落下し、空気中から塵埃が除去され、塵埃を除去された空気は、水分離器５３に流入し、空気中の水分が除去される。
【００３０】
一方、貯水槽５５内の水は、循環配管５７を通り、フィルタ６１により比較的大きな塵埃を除去された後、主配管４７ａ，４７ｂから分岐管４９に導かれ、分岐管４９のノズル５１から水噴霧室４１内に噴霧され、貯水槽５５に循環される。
【００３１】
しかして、以上のように構成された水噴霧式空気浄化装置では、水噴霧室４１内において、ノズル５１から噴出された噴出水Ｗ1 が、網部材６５に衝突し、細分化され微細な噴霧水Ｗ2 になるため、ノズル５１のノズル穴を小径にすることなく、水噴霧室４１内において噴霧水Ｗ2 を微細にすることが容易に可能になる。
【００３２】
すなわち、従来の水噴霧式空気浄化装置では、ノズルのノズル穴の径を小さくして噴霧水を微細なものにしようとすると、ノズル穴が詰まってしまうため、ノズルから充分に微細な噴霧水を噴霧することができず、水噴霧室内の噴霧水を微細にすることができなかったが、本発明では、網部材６５を配置したので、噴霧水Ｗ2 を充分に微細化することが可能になる。
【００３３】
この結果、塵埃を充分に濡らすことが可能になり、水噴霧室４１内における塵埃の除去効率を従来より大幅に向上することができる。
また上述した水噴霧式空気浄化装置では、水噴霧室４１内において、塵埃を含んだ空気の流れの側方から、ノズル５１からの噴出水Ｗ1 および噴霧水Ｗ2 が噴霧され、この噴出水Ｗ1 または噴霧水Ｗ2 に衝突した空気中の塵埃が、噴霧水Ｗ2 とともに仕切板６３に衝突し、噴霧水Ｗ2 により仕切板６３の表面に形成される水膜に捕捉され、水膜の落下とともに仕切板６３に沿って落下するため、水噴霧室４１内における塵埃の除去効率を従来より大幅に向上することができる。
【００３４】
すなわち、上述した水噴霧式空気浄化装置では、空気中の塵埃が、噴霧水Ｗ2 とともに仕切板６３に衝突し、仕切板６３の表面に形成される水膜により確実に捕捉されるため、従来のように、自然落下しない塵埃が多量に発生することがなくなり、塵埃に対する充分な除去効率を得ることが可能になる。
【００３５】
また、水噴霧室４１内において塵埃が充分に除去されるため、水分離器５３に流入する塵埃の量が減少し、この結果、水分離器５３内に付着する塵埃の量が減少し、水分離器５３の分離効率が低下することを低減することが可能になる。
【００３６】
さらに、上述した水噴霧式空気浄化装置では、ノズル５１から噴霧される噴出水Ｗ1 または噴霧水Ｗ2 に衝突した空気中の塵埃を、噴霧水Ｗ2 とともに壁面４１ａに衝突させ、噴霧水Ｗ2 により壁面４１ａの表面に形成される水膜に捕捉させるようにしたので、水噴霧室４１内における塵埃の除去効率をより向上することが可能になる。
【００３７】
なお、以上述べた実施例では、仕切板６３の両側に主配管４７ｂおよび分岐管４９を配置した例について説明したが、本発明はかかる実施例に限定されるものではなく、これ等の主配管４７ｂおよび分岐管４９は必ずしも配置しなくても良いことは勿論である。
【００３８】
また、以上述べた実施例では、仕切板６３を一枚設けた例について説明したが、本発明はかかる実施例に限定されるものではなく、仕切板６３を所定間隔を置いて複数枚設けても良いことは勿論である。
【００３９】
【発明の効果】
以上述べたように、本発明の水噴霧式空気浄化装置では、水噴霧室内において、ノズルから噴出された噴出水が、網部材に衝突し、細分化され微細な噴霧水になるため、ノズルのノズル穴を小径にすることなく水噴霧室内において噴霧水を微細にすることが容易に可能になるという利点がある。
【図面の簡単な説明】
【図１】本発明の関連技術である水噴霧装置の一例を示す上面図である。
【図２】図１のＩＩ方向から見た側面図である。
【図３】本発明の水噴霧式空気浄化装置の一実施例を示すもので図４のＩＩＩ−ＩＩＩ線に沿う断面図である。
【図４】図３のＩＶ−ＩＶ線に沿う断面図である。
【図５】従来の水噴霧式空気浄化装置を示すもので図６のＶ−Ｖ線に沿う断面図である。
【図６】図５のＶＩ−ＶＩ線に沿う断面図である。
【符号の説明】
４１  水噴霧室
４５  水噴霧装置
５１  ノズル
５３  水分離器
６５  網部材
Ｗ1   噴出水
Ｗ2   噴霧水
【図１】
0003745779.tif 000002
【図２】
0003745779.tif 000003
【図３】
0003745779.tif 000004
【図４】
0003745779.tif 000005
【図５】
0003745779.tif 000006
【図６】
0003745779.tif 000007